(57)【要約】      （修正有）【課題】ケープ本体をフードの中に解けることなく確実に収納できことできるフード付き乳幼児用ケープを提供する。【解決手段】ケープ本体１の上部にフード２を設けたフード付き乳幼児用ケープにおいて、ケープ本体１の背面部上側の表面とフード２の前面側表面２１に互いに着脱できる止め具３を設けてあり、該止め具３の少なくとも一方は基端側に紐材３１を備えている。【選択図】図４
0003210337.tif 000002
【実用新案登録請求の範囲】
【請求項１】
ケープ本体の上部にフードを設けてあるフード付き乳幼児用ケープにおいて、前記ケープ本体の背面部上側の表面と前記フードの前面部の表面に互いに着脱できる止め具を備えてあり、該止め具の少なくとも一方は基端側に紐材を備えていることを特徴とするフード付き乳幼児用ケープ
【請求項２】
前記互いに着脱できる止め具の双方が基端側に紐材を備えたものであある請求項１に記載のフード付き乳幼児用ケープ。
【請求項３】
前記紐材はループ状である請求項１又は２に記載のフード付き乳幼児用ケープ。
【請求項４】
前記紐材は伸縮性材である請求項１又は２又は３に記載のフード付き乳幼児用ケープ。
【請求項５】
前記止め具はスナップである請求項１−４の何れかに記載のフード付き乳幼児用ケープ。
【考案の詳細な説明】
【技術分野】
【０００１】
本考案は、不使用時にコンパクトに収納することができるフード付き乳幼児用ケープに関するものである。
【背景技術】
【０００２】
この種フード付き乳幼児用ケープとしては、特開２０１５−４５１０４号（特許文献１）の段落００４１、００４２、図６に記載されているものが知れている。
【０００３】
前記のものは、ケープ本体をフードの中に単に収納したに過ぎないものである。そのため、乳幼児用ケープは防寒として使用するものは布帛、カットソーのように厚手で弾力のあるものであるため、ケープ本体がフードから解けやすく取扱いが面倒なものであった。
【０００４】
また、特開２００４−３０８４号（特許文献２）及び実用新案登録第３１１５０８８号公報（特許文献３）にはフードの表面とケープ本体の背面の表面に互いに着脱できる止め具の記載がある。しかし、これはフードを使用しない場合にフードをケープ本体の背面に固定するものであり、本考案が解決しようとする課題を解決できる機能も示唆もないものである。
【先行技術文献】
【特許文献】
【０００５】
【特許文献１】特開２０１５−４５１０４号公報（特に、段落００４１、００４２、図６）
【特許文献２】特開２００４−３０８４号公報
【特許文献３】実用新案登録第３１１５０８８号公報
【考案の概要】
【考案が解決しようとする課題】
【０００６】
本考案は前記のような問題を解決して、ケープ本体をフードの中に解けることなく確実に収納できることは勿論、広げた状態において容易にフック等に吊下げておくことができるフード付き乳幼児用ケープを提供することを目的として完成されたものである。
【課題を解決するための手段】
【０００７】
本考案のフード付き乳幼児用ケープは、ケープ本体の上部にフードを設けてあるフード付き乳幼児用ケープにおいて、前記ケープ本体の背面部上側の表面と前記フードの前面部の表面に互いに着脱できる止め具を備えてあり、該止め具の少なくとも一方は基端側に紐材を備えていることを特徴とするものである。
【０００８】
また、前記互いに着脱できる止め具の双方の基端側に紐材を備えたものであってもよい。
【０００９】
また、前記紐材はループ状であることが好ましいものである。
【００１０】
また、前記紐材は伸縮性材であることが好ましいものである。
【００１１】
また、前記止め具はスナップであることが好ましいものである。
【考案の効果】
【００１２】
前記した本考案のフード付き乳幼児用ケープは、ケープ本体に乳幼児を包んで適宜頭をフードで覆って着せて、抱っこ、おんぶ、ベビーカーに乗せたりする場合に使用するものである。
【００１３】
そして、外出時に乳幼児に着せることなく持ち歩く場合は、ケープ本体をフードの左右幅に合うように内側に折り畳んだうえ裾側から内側方向に丸めて前記フードの中に押し込んで格納すればコンパクトに纏めることができトートバッグ等への収納、取出しが容易となるものである。
【００１４】
しかも、本考案のフード付き乳幼児用ケープは、ケープ本体の背面部上側の表面と前記フードの前面側表面に互いに着脱できる止め具を設けてあり、該止め具の少なくとも一方は基端側に紐材を備えたものであるから、該紐材を引っ張ることにより紐材がケープ本体に食い込んで前記止め具同士が着脱できる位置となるので、止め具同士を止着すればケープ本体がフードから解かれる虞は無いものである。
【００１５】
また、前記紐材をループ状とすれば、広げた状態でフック等に掛ける場合はループ状の紐材により引掛けておくことができるものである。
【図面の簡単な説明】
【００１６】
【図１】本考案の第１の実施形態を示す正面図である。
【図２】本考案の第１の実施形態を示す背面図である。
【図３】本考案の第１の実施形態におけるケープ本体をフードに格納する過程を示す正面図である。
【図４】本考案の第１の実施形態におけるケープ本体をフードに格納した状態を示す斜視図である。
【図５】本考案の止め具の1例を示す図であり、（Ａ）はフード側、（Ｂ）はケープ本体側を示す。
【図６】本考案の第２の実施形態を示す正面図である。
【図７】本考案の第２の実施形態を示す背面図である。
【考案を実施するための形態】
【００１７】
次に、本考案の好ましい実施形態を図面に基づいて説明する。
【００１８】
図１―図５は第１の実施形態を示すものである。
１は乳幼児の身体の頭部の下側全体を包むケープ本体であり、該ケープ本体１の上部には乳幼児の頭を覆うフード２が設けられている。このフード２はケープ本体１と一体の構成とされているが、着脱できる構成であってもよいものである。
【００１９】
前記ケープ本体１の背面部上側の表面１１と前記フード２の前面側の表面２１に互いに着脱できる止め具３、３が設けてある。前記止め具３、３の双方の基端側に紐材３１、３１が備えられている。
【００２０】
なお、前記止め具３は、この実施形態にあっては図５に示すようにワンタッチで容易に着脱できる雄型、雌型を組み合わせたスナップよりなるものとしているが、面ファスナーやボタンとボタンホールの組み合わせであってもよい。
【００２１】
また、本実施形態では前記紐材３１はループ状としているが、単なる帯状であってもよいものである。
【００２２】
なお、本実施形態とは異なり紐材３１は一方の止め具３に備えたものであってもよい。この場合、前記紐材３１はループ状であることが好ましいものである。また、前記紐材３１は伸縮性材であることが好ましいものである。
【００２３】
前記ケープ本体１の裾側には足カバー部４が備えられている。また、前記ケープ本体１の上方の両側にはクリップ５，５が設けてあり、乳幼児を胸側でベビーキャリアを用いて抱く場合にベビーキャリアの帯にケープ本体１を保持させるために使用できるものである。
【００２４】
また、前記ケープ本体１及び前記フード２の素材は寒い季節には防寒効果の高い布帛、カットソー等が好ましいが、特に限定されることはないものである。
【００２５】
図６、図７に示す第２の実施形態はケープ本体１の下方には足カバー部が備える代わりに裾を長く形成したものであり、また、ケープ本体１の左右側を内向きとするためのゴム紐７を設けてあるものであり、その他の構成は前記第１の実施形態と同じである。
【００２６】
前記したフード付き乳幼児用ケープは、外出時に乳幼児に着せることなく持ち歩く場合は、図３に示すようにケープ本体１をフード２の左右幅に合わせて内側に折り畳んだうえ裾側から内側方向に丸めて前記フードの中に押し込んで格納すれば図４に示すようにコンパクトに纏めることができトートバッグ等への収納、取出しが容易となるものである。
【００２７】
しかも、ケープ本体１の背面部上側の表面とフード２の前面側表面に互いに着脱できる止め具３を設けてあり、該止め具３の少なくとも一方は基端側に紐材３１を備えたものであるから、該紐材３１が引っ張ることにより紐材がケープ本体に食い込んで前記止め具同士が着脱できる位置となり、止め具３、３同士を止着すればケープ本体１がフード２から解かれる虞は無いものである。この場合紐材３１が伸縮性材であればより容易止め具同士を止着することができるものである。
【００２８】
また、前記紐材３１をループ状とすれば、広げた状態でフック等に掛ける場合はループ状の紐材３１により引掛けておくことができるものである。
【符号の説明】
【００２９】
１  ケープ本体
２  フード
３  止め具
31  紐材
４  足カバー部
５  クリップ
【図１】
0003210337.tif 000003
【図２】
0003210337.tif 000004
【図３】
0003210337.tif 000005
【図４】
0003210337.tif 000006
【図５】
0003210337.tif 000007
【図６】
0003210337.tif 000008
【図７】
0003210337.tif 000009